(57)【特許請求の範囲】
【請求項１】
ソーラーパネルが筐体に一体的に設けられ、前記筐体の内部には、充電可能なバッテリーと、バッテリーに接続されて高電圧パルスを生成する昇圧回路と、前記ソーラーパネルから入力された電圧を制御して前記バッテリーを適切に充電するレギュレーターとが設けられ、前記筐体の外面部には前記昇圧回路に接続する出力端子が設けられている電気さく用電源装置において、前記筐体の一部に、前記バッテリーを充電することができるＡＣアダプタ―の出力端子との接続部を設け、この接続部は、前記筐体の内部で前記レギュレーターに接続し、
前記ＡＣアダプターの前記出力端子が、正極と負極とを備えるプラグであり、前記接続部が、前記プラグを受け入れるソケットであり、
前記ソケットには、前記ＡＣアダプタ―の前記プラグが差し込まれていない時に、前記ソケットのプラグ挿入穴を塞いで水の浸入を防ぐゴム製の防水キャップの基部が固着されており、
前記ＡＣアダプターのソケットには、前記ＡＣアダプターの出力プラグを差し込む時に、前記ソケットと前記出力プラグの接続部から前記筐体内部への水の浸入を防止するゴム製の第２防水キャップが設けられており、
前記第２防水キャップは、前記防水キャップの前記基部に取り付けられており、
前記第２防水キャップには、前記防水キャップの前記基部から延びるアーム部と、前記アーム部の先端部に設けられたプラグシール部と、前記プラグシール部の側面に接続する係止突起とが設けられ、
前記プラグシール部には、前記出力プラグを挿通するプラグ挿通孔と、前記プラグ挿通孔に隣接して前記出力プラグの本体をシールする本体シール穴と、前記本体シール穴に隣接して前記出力プラグの本体を前記本体シール穴に導くガイドスロープとが設けられ、
前記係止突起は、前記出力プラグの本体が前記本体シール穴に完全に挿入された状態で前記出力プラグが前記ソケットに接続された時に、前記筐体に設けられた係止突起挿入穴に嵌め込むことが可能な電気さく用電源装置。
【請求項２】
ソーラーパネルが筐体に一体的に設けられ、前記筐体の内部には、充電可能なバッテリーと、バッテリーに接続されて高電圧パルスを生成する昇圧回路と、前記ソーラーパネルから入力された電圧を制御して前記バッテリーを適切に充電するレギュレーターとが設けられ、前記筐体の外面部には前記昇圧回路に接続する出力端子が設けられている電気さく用電源装置において、前記筐体の一部に、前記バッテリーを充電することができるＡＣアダプタ―の出力端子との接続部を設け、この接続部は、前記筐体の内部で前記レギュレーターに接続し、
前記ＡＣアダプターの前記出力端子が、正極と負極とを備えるプラグであり、前記接続部が、前記プラグを受け入れるソケットであり、
前記ソケットには、前記ＡＣアダプターの前記プラグが差し込まれていない時に、前記ソケットのプラグ挿入穴を塞いで水の浸入を防ぐゴム製の防水キャップが設けられており、
前記防水キャップは、前記ソケットに固着された基部と、前記基部から延びるアーム部と、前記アーム部の先端部に設けられた蓋部材と、前記蓋部材に突設されて前記プラグ挿入穴に水密状態で挿入されると共に、前記プラグ挿入穴内にある電極を受け入れる中空部を有し、
前記ＡＣアダプターのソケットには、前記ＡＣアダプターの出力プラグを差し込む時に、前記ソケットと前記出力プラグの接続部から前記筐体内部への水の浸入を防止するゴム製の第２防水キャップが設けられており、
前記第２防水キャップは、前記防水キャップの前記基部に取り付けられており、
前記第２防水キャップには、前記防水キャップの前記基部から延びるアーム部と、前記アーム部の先端部に設けられたプラグシール部と、前記プラグシール部の側面に接続する係止突起とが設けられ、
前記プラグシール部には、前記出力プラグを挿通するプラグ挿通孔と、前記プラグ挿通孔に隣接して前記出力プラグの本体をシールする本体シール穴と、前記本体シール穴に隣接して前記出力プラグの本体を前記本体シール穴に導くガイドスロープとが設けられ、
前記係止突起は、前記出力プラグの本体が前記本体シール穴に完全に挿入された状態で前記出力プラグが前記ソケットに接続された時に、前記筐体に設けられた係止突起挿入穴に嵌め込むことが可能な電気さく用電源装置。
【請求項３】
前記レギュレーターは、前記ソーラーパネルから入力された電圧と、前記接続部から入力された電圧を比較し、高い方の電圧を制御して前記バッテリーを適切に充電する請求項１又は２に記載の電気さく用電源装置。
【発明の詳細な説明】
【技術分野】
【０００１】
本発明は、ソーラーパネルを使用する電気さく用電源装置に関し、特に、ソーラーパネルが電気さく用電源装置の筐体に組み込まれた、又は筐体に取り付けられた一体型のソーラーパネルを備える電気さく用電源装置に関する。
【背景技術】
【０００２】
従来、柵に架線された導電ワイヤー（以後単にワイヤーと言う）に高電圧（６０００〜１００００Ｖ）の電気パルス（以後単にパルスと言う）を印加し、ワイヤーに触れた家畜や野生動物に電気ショックを与えて追い払う動物用の電気さくが知られている。このような電気さくは、動物の侵入を阻止したい耕作地等の周囲に間隔を開けて設置した支柱に、ワイヤーが地面とは絶縁された状態で架線された柵と、架線されたワイヤーに高電圧のパルスを一定の時間間隔で印加する電源装置とを備えている。
【０００３】
初期の電気さく用電源装置は充電可能な二次電池（以後バッテリーと記す）を電源として、バッテリー電圧を昇圧し、バネで断続的に通電してパルス状の高圧電圧を生成する機械式もので、多量の電気を消費する一方で、安全を考えると高電圧への配慮が必要であった。このため、当時の電気さく用電源装置に接続できる柵の実用距離は、僅か１００〜２００ｍ程度の長さに留まった。ところが、半導体技術の進歩により、高電圧パルスを極めて短時間に発生させられるようになり、性能と安全性の両立が可能になり、経済性がアップし、電気さくが広く普及するようになった。
【０００４】
このような電気さくとしては、特許文献１に、電気さく用電源装置の電源にバッテリーを使用するものが開示されている。また、特許文献２には、電気さく用電源装置の電源収納容器にバッテリーを収容すると共に、電源収納容器の外側に自動車のバッテリーのような外部電源を接続できる接続端子を設けたものが開示されている。
【０００５】
バッテリーを使用する電気柵装置では、バッテリー電圧が低下すると電気さくの性能が維持できないので、定期的にバッテリーを交換する必要があり、電気さくの設置場所が遠隔地である場合にはバッテリー交換が手間であった。
【０００６】
そこで近年、バッテリーにソーラーパネルを組み合わせた電源装置が普及し始めた。ソーラーパネルを併用する電気さく用電源装置では、昼間の太陽光がある時にはソーラーパネルの発電電力を使用してバッテリーの充電と高電圧のパルスの生成が行われ、太陽光の無い夜間等はバッテリーを用いて高電圧のパルスが生成される。このようなソーラーパネルを併用した電気さく用電源装置では、バッテリー交換の手間を省くことができる。ソーラーパネルは電気さく用電源装置とは別に置かれることが多いが、ソーラーパネルを電気さく用電源装置の筐体に組み込んだり、ソーラーパネルを電気さく用電源装置の筐体の外側に取り付けた、ソーラーパネル一体型の電気さく用電源装置も普及している。
【０００７】
特許文献３には、太陽電池（ソーラーパネル）とバッテリーを備える電気さく用電源装置が開示されている。この特許文献３には、太陽エネルギーが得られるときは太陽電池からの電力が裸電線に用いられ、余剰電力でバッテリーが充電され、太陽エネルギーが得られないときはバッテリーの電力が用いられることが開示されている。また、特許文献３には、太陽電池を使用せずに交流電源を使用する接続例が示されており、この場合は、交流電源を変圧器及び交流―直流変換器を備えたアダプタ―を介してパルス発生器に接続している。
【先行技術文献】
【特許文献】
【０００８】
【特許文献１】特開２００５−１５１７４８号公報
【０００９】
【特許文献２】特開２０１９−１４６５３５号公報
【００１０】
【特許文献３】特開平１１−１６９００７号公報
【発明の概要】
【発明が解決しようとする課題】
【００１１】
日本国内では、電気さくの多くは害獣対策（猪などの害獣が田畑内に入ってこないようにする対策）に使用されるが、害獣による被害の季節は限られる。また、豪雪地帯では電気さくは冬に雪に埋もれてしまい、電気さくとして役に立たず、又、電気さく用電源装置は放置すると積雪荷重で破損するので、害獣対策が不要な時には電気さく用電源装置を納屋等に収納して保管することが通常である。しかし、ソーラーパネル一体型の電気さく用電源装置の場合、スイッチを切りそのまま納屋に収納してしまう傾向が強い。
【００１２】
ところが、納屋に収納すると、ソーラーパネル一体型の電気さく用電源装置のソーラーパネルに日が当たらないのでバッテリーが充電されなくなり、回路内部に暗電流が流れるためバッテリーがかなり早く放電し、場合によっては翌春にはバッテリーの完全放電で再充電機能が失われることが多く発生した。利用者は、乾電池が不要で経済的であり、環境的に改善できるとしてソーラーパネル一体型の電気さく用電源装置を購入したものの、翌春にソーラーパネル一体型の電気さく用電源装置が動作しないという大きな誤算になっている。
【００１３】
一方、販売店の棚に展示してあるソーラーパネル一体型の電気さく用電源装置にも同様な問題が発生していた。店内の照明だけではソーラーパネルがバッテリーを十分に充電出来ないため、長期間展示してあったソーラーパネル一体型の電気さく用電源装置は、販売直後にユーザーが使えないことがあり、クレームが寄せられていた。クレームを避けたい販売店は、ソーラーパネル一体型の電気さく用電源装置からバッテリーを取り出して定期的に充電をするか、２、３ケ月毎に棚又は倉庫からソーラーパネル一体型の電気さく用電源装置を屋外に持ち出して太陽光で充電する必要があった。これらは大きな手間を要し、ソーラーパネル一体型の電気さく用電源装置の取扱い自体を躊躇する販売店が出ていた。
【００１４】
このように、ソーラーパネル一体型の電気さく用電源装置は、極めて理想的構成であるものの、メーカー出荷時にバッテリーがフル充電されていても、最終ユーザーに渡るまで、最低で２、３カ月、平均で６〜１０カ月かかるため、販売店はどこかの時点で再充電を行う必要があった。同様に、電気さくを使用しない時にソーラーパネル一体型の電気さく用電源装置を日の当たらない納屋等に保管してしまうと、再使用時にバッテリーの電圧低下で電気さくが使用できなくなることが多発していた。
【００１５】
本発明者は、ソーラーパネル一体型の電気さく用電源装置には、ソーラーパネルからの入力電圧を制御して内蔵バッテリーを適切に充電するレギュレータがあるので、高価な充電器を用いなくても内蔵バッテリーを充電できることを見出し、本発明をなすに至った。即ち、本発明は、バッテリーをソーラーパネルで充電する電気さく用電源装置、特に、バッテリーが内蔵され、ソーラーパネルが電源装置の筐体に一体的に組み込まれた又は取り付けられた、ソーラーパネル一体型の電気さく用電源装置の筐体に、出力電圧が一定で安価なＡＣアダプターの接続端子を設けることにより、ＡＣアダプターでいつでもどこでも簡単に電気さく用電源装置を満充電でスタンバイ状態にし、いつでも利用開始が可能な、ソーラーパネル一体型の電気さく用電源装置を提供することを目的とする。
【課題を解決するための手段】
【００１６】
前記目的を達成する本発明の電気さく用電源装置は、ソーラーパネルが筐体に一体的に設けられ、筐体の内部には、充電可能なバッテリーと、バッテリーに接続されて高電圧パルスを生成する昇圧回路と、ソーラーパネルから入力された電圧を制御してバッテリーを適切に充電するレギュレーターとが設けられ、筐体の外面部には昇圧回路に接続する出力端子が設けられている電気さく用電源装置において、筐体の一部に、バッテリーを充電することができるＡＣアダプタ―の出力端子との接続部を設け、この接続部は、筐体の内部でレギュレーターに接続した電気さく用電源装置である。
【発明の効果】
【００１７】
本発明の電気さく用電源装置によれば、ソーラーパネルによる内蔵バッテリーの充電ができなくなった場合でも、筐体に設けたＡＣアダプター用の接続部にＡＣアダプターの出力端子を接続するだけで内蔵バッテリーを充電することができるので、次のような効果がある。
【００１８】
（１）販売店の棚や倉庫に保管してある電気さく用電源装置のバッテリーを、手間をかけずに容易に充電することができるため、同装置の販売直後にバッテリーの充電不足により電気さくが動作しないという苦情を回避できる。
（２）農家が電気さくを使用しない時期に、電気さく用電源装置を納屋等に保管する場合でも、ＡＣアダプタ―により手間をかけずに電源装置のバッテリーを適宜充電しておけるので、電気さくの再使用をいつでも行える利便性アップと、充電不足によるバッテリーの消耗を防ぐことが可能になる。
【００１９】
（３）天候不順が続いて電気さく用電源装置のバッテリーがソーラーパネルによって十分に充電されなくなった場合でも、電気さく用電源装置を持ち帰って充電すれば、２〜３時間で満充電が完了するので、夜間の獣害対策に電気さく用電源装置を使用できる。
（４）内蔵バッテリーとして使用される密封式バッテリーには、６Ｖ、９Ｖ、１２Ｖの種類があり、電気さく用電源装置の外部で充電する場合は、従来はそれぞれ専用の充電機能付きの充電器で充電していた。しかし、本発明では、バッテリーを電気さく用電源装置から取り出すことなく、ＡＣアダプターから所定の電圧（例えば１２Ｖ）の電気を供給するだけで、電気さく用電源装置に内蔵されたレギュレーターで適切にバッテリーが充電出来る。このため、本発明では、電圧の異なるバッテリー毎に高価な専用の充電器を用意する必要がなく、ＡＣアダプター自体も専用の充電器に比べて極めて低コストであるので、全体のコストを抑えることが可能であり、経済的メリットが大きい。
【図面の簡単な説明】
【００２０】
【図１】（ａ）は電気さくの構成を説明する図、（ｂ）は（ａ）に示した電気さくにおいて、ソーラーパネルが筐体に組み込まれた形態のソーラーパネル一体型の電気さく用電源装置の一実施例の筐体を前面側から見た斜視図、（ｃ）は（ｂ）に示したソーラーパネル一体型の電気さく用電源装置の筐体を背面側から見た斜視図である。
【図２】図１（ｂ）、（ｃ）に示したソーラーパネル一体型の電気さく用電源装置の内部構成を示すブロック図である。
【図３】（ａ）は図１（ｃ）に示したＡＣアダプター用ソケットの第１実施例を示すものであり、防水キャップが開けられ、ＡＣアダプターの出力プラグが挿入される状態を示す部分拡大斜視図、（ｂ）は（ａ）に示した防水キャップがＡＣアダプター用ソケットを閉じた状態を示す部分拡大断面図である。
【図４】図３（ａ）に示したＡＣアダプター用ソケットの部分の、筐体の部分拡大断面図である。
【図５】（ａ）は図１（ｃ）に示したＡＣアダプター用ソケットの第２実施例を示すものであり、防水キャップに加えてＡＣアダプターの出力プラグを防水する第２防水キャップが設けられたＡＣアダプター用ソケットの部分拡大斜視図、（ｂ）は（ａ）に示した第２防水キャップのプラグシール部を矢印Ａ方向から見た部分図、（ｃ）は（ｂ）に示したプラグシール部のＢ−Ｂ線における断面図、（ｄ）は（ｃ）に示したプラグシール部にＡＣアダプターの出力プラグが差し込まれた時の防水部分を示す部分拡大断面図、（ｄ）は（ａ）に示したＡＣアダプター用ソケットに、第２防水キャップを用いてＡＣアダプターの出力プラグが接続された状態を示す部分拡大斜視図である。
【図６】（ａ）はソーラーパネルが筐体の上部に取り付けられた形態のソーラーパネル一体型の電気さく用電源装置一実施例の筐体を側面側から見た斜視図、（ｂ）は（ａ）に示したソーラーパネル一体型の電気さく用電源装置の筐体を背面側から見た斜視図、（ｃ）は（ｂ）に示したＡＣアダプター用ソケットの取付位置を部分的に拡大して示す斜視図である。
【発明を実施するための形態】
【００２１】
以下、添付図面を用いて、本発明の電気さく用電源装置の実施例について説明する。なお、以後に説明する本発明の電気さく用電源装置の実施例では、電源装置に設けられたＡＣアダプター用ソケットから雨水が電源装置の内部に浸入しない構造が設けられている実施例について説明する。
【００２２】
図１（ａ）は、柵１と電気さく用電源装置１０とを備える電気さく４０の、一実施例の構成を説明するものである。柵１は、動物の侵入を阻止したい耕作地等の周囲に設置するものであり、一定の距離を隔てて立設した絶縁体で形成された支柱３に、ワイヤー２を、地面とは絶縁状態で架線したものである。ワイヤー２は、侵入を阻止したい動物の大きさに合わせて設置されるので、一般に所定の間隔で複数段設置される。図１（ａ）に示した実施例では、柵１に３本のワイヤー２が３段に渡って架線されており、３本のワイヤー２の間には、１本のワイヤー２に印加した高電圧のパルスが全ての段のワイヤー２に届くように、渡り線２ｃが設けられている。
【００２３】
本実施例では、電気さく用電源装置１０が、地面に立設したポスト５の先端部に取り付けられている。電気さく用電源装置１０にはバッテリーが内蔵されており、電気さく用電源装置１０の筐体１１に一体的に設けられたソーラーパネル１２が筐体１１の外面に露出している。電気さく用電源装置１０からは電源用リード線６とアース線７が引き出されており、電源用リード線６はワニ口クリップ６ａにより３本のワイヤー２の中の１本に接続されている。また、アース線７は地面に埋め込まれたアース棒４にワニ口クリップ７ａで接続されている。電気さく用電源装置１０では高電圧のパルスが生成され、生成された高電圧のパルスは、一定の時間間隔で電源用リード線６に出力され、３本のワイヤー２の中の１本に印加され、渡り線２ｃを通じて他のワイヤー２にも印加される。
【００２４】
図１（ｂ）は、図１（ａ）に示したソーラーパネル一体型の電気さく用電源装置１０の筐体１１を前面１１ａ側から見たものである。電気さく用電源装置１０の筐体１１の前面はソーラーパネル１２に太陽光が良く届くように傾斜している。また、電気さく用電源装置１０の筐体１１の前面の上側にはモード切替スイッチ１３がある。モード切替スイッチ１３は、電気さく用電源装置１０から出力される高電圧のパルスの出力間隔を通常間隔（１．３秒）にするモード、短い間隔（１．１秒）にするモード、夜間のみパルスを出力するモード、バッテリー電圧をチェックするモード、電源をオフにするモードの、何れのモードにするかを切り替えるものである。また、筐体１１の最も上側の部分は把手１１ｃになっている。
【００２５】
図１（ｃ）は、図１（ｂ）に示した電気さく用電源装置１０の筐体１１を背面１１ｂ側から見たものである。電気さく用電源装置１０の筐体１１の背面１１ｂには、図１（ａ）に示した電源用リード線６が接続される出力端子１６と、アース線７が接続されるアース端子１７が左側に設けられている。また、電気さく用電源装置１０の筐体１１の背面１１ｂの右側には、後述するＡＣアダプターの出力プラグを接続するためのＡＣアダプター用ソケット２０が設けられている。更に、電気さく用電源装置１０の筐体１１の背面１１ｂの中央部にはネジ１４ｓを緩めることによって開けることができるバッテリーカバー１４がある。このバッテリーカバー１４はバッテリーの交換時に開けるものである。このバッテリーカバー１４の下部側に、図１（ａ）に示したポスト５を挿入するためのポスト取付部１５が形成されている。
【００２６】
図２は、図１（ｂ）、（ｃ）に示したソーラーパネル一体型の電気さく用電源装置１０の内部構成の一例を示すブロック図である。電気さく用電源装置１０の筐体１１には、ソーラーパネル１２が筐体１１に一体的に設けられている。ソーラーパネル１２から得られた電圧はレギュレーター２１に入力される。また、ＡＣアダプター用ソケット２０には、１００Ｖの商用電源から直流電圧を生成するＡＣアダプター８の出力プラグが接続される。ＡＣアダプター用ソケット２０に入力された直流電圧は、レギュレーター２１に入力される。
【００２７】
レギュレーター２１は、ソーラーパネル１２、バッテリー１８及びＡＣアダプター用ソケット２０に接続しており、内蔵の判定回路によって、入力された電圧の高い方をバッテリー１８に送ってバッテリー１８を充電する。なお、ＡＣアダプター用ソケット２０にＡＣアダプター８が接続された時には、ソーラーパネル１２からレギュレーター２１に電圧が入力されないようにすることもできる。このときは、ＡＣアダプター用ソケット２０にソーラーパネル１２とレギュレータ２１とを結ぶ回路をオンオフするスイッチを設けて、ＡＣアダプター用ソケット２０にＡＣアダプター８が接続された時に、このスイッチがオフになるようにすれば良い。
【００２８】
昇圧回路２２は、モード切替スイッチ１３が通常間隔モード、短い間隔モード、或いは夜間のみパルスを出力するモードになっている時に、モードに従ってバッテリ−１８の電圧から高電圧のパルスを発生させる。昇圧回路２２で生成された高電圧のパルスは、出力端子１６に接続された電源用リード線６を通って、電気さく用電源装置１０の外部に設置された柵１のワイヤー２に印加される。そして、筐体１１に設けられたアース端子１７は、アース線７によってアース棒４に接続され、接地されている。なお、アース端子１７に接続する筐体１１内のアースの引き回しについては、昇圧回路２２を除いて図示を省略してある。
【００２９】
図３（ａ）は、図１（ｃ）に示したＡＣアダプター用ソケット２０の第１実施例を示すものであり、ＡＣアダプター用ソケット２０に防水キャップ３０が設けられている実施例を示している。本実施例では、ＡＣアダプターの出力プラグ２３が円柱状であるので、ＡＣアダプター用ソケット２０のプラグ挿入穴２５も円穴であるが、ＡＣアダプターの出力プラグ２３の形状が角形であったり、自動車のハーネスに用いられるコネクタ状である場合には、ＡＣアダプター用ソケット２０のプラグ挿入穴２５の形状も出力プラグ２３の形状に合った形になる。出力プラグ２３の外側が負電極の場合、ＡＣアダプター用ソケット２０には導電性金属で形成された円板状負電極２４があり、円板状負電極２４の中央にプラグ挿入穴２５が設けられている。プラグ挿入穴２５の内部には正電極２６がある。
【００３０】
防水キャップ３０はゴム製であり、リング状の基部３２によってＡＣアダプター用ソケット２０の周囲に固着されている。基部３２の側面の一部にはアーム部３１が接続しており、基部３２から延びるアーム部３１の先端部には蓋部材３３がある。そして、蓋部材３３の一方の面には防水突起３４が設けられており、防水突起３４の先端部には、ＡＣアダプター用ソケット２０の正電極２６を受け入れる中空部３５がある。また、防水突起３４の直径は、ＡＣアダプター用ソケット２０にあるプラグ挿入穴２５の内径よりもわずかに大きく形成されており、防水突起３４はプラグ挿入穴２５に圧縮状態で挿入される。プラグ挿入穴２５に防水突起３４が挿入されると、プラグ挿入穴２５は防水突起３４によって水密状態となり、ＡＣアダプター用ソケット２０が防水される。
【００３１】
図３（ｂ）は、図３（ａ）に示した防水キャップ３０の防水突起３４が、ＡＣアダプター用ソケット２０のプラグ挿入穴２５に嵌め込まれてプラグ挿入穴２５を閉じた状態を示すものである。この状態では、防水キャップ３０のアーム部３１が折り返され、防水突起３４がプラグ挿入穴２５に圧縮状態で挿入されており、蓋部材３３はＡＣアダプター用ソケット２０の円板状負電極２４に密着している。
【００３２】
図４は、図３（ａ）に示したＡＣアダプター用ソケット２０が設けられた筐体１１の断面の一実施例を拡大して示すものである。筐体１１に設けられたＡＣアダプター用ソケット取付孔１１ｈには、ＡＣアダプター用ソケット２０の筒状負電極２７が差し込まれており、筒状負電極２７の一端が円板状負電極２４として筐体１１の上に露出している。筒状負電極２７の内部がプラグ挿入穴２５になっており、プラグ挿入穴２５の中に正電極２６がある。防水キャップ３０の基部３２が円板状負電極２４の周囲に設けられており、基部３２から延びるアーム部３１の先端部に蓋部材３３がある。蓋部材３３に突設された防水突起３４がプラグ挿入穴２５に嵌め込まれると、防水突起３４の中空部３５に正電極２６が挿入される。
【００３３】
正電極２６には正リード線２９ａが接続しており、筒状負電極２７の内側には負リード線２９ｂが接続している。負リード線２９ｂは筒状負電極２７の外側に接続させることもできる。正リード線２９ａは図２に示したレギュレーター２１に接続され、負リード線２９ｂは筐体１１内のアースに接続される。筒状負電極２７内の、正リード線２９ａと正電極２６が接続する部分及び負リード線２９ｂが筒状負電極２７の内壁と接続する部分は絶縁性のシール材２８によってシールされている。このため、防水キャップ３０がプラグ挿入穴２５を塞いでいない状態でも、プラグ挿入穴２５から浸入した水が筐体１１の内部に侵入することがない。
【００３４】
ＡＣアダプター用ソケット２０の第１実施例では、ＡＣアダプターが接続されない時には、図３（ｂ）に示したように防水キャップ３０がＡＣアダプター用ソケット２０のプラグ挿入穴を蓋して防水している。そして、ＡＣアダプターの出力プラグ２３をＡＣアダプター用ソケット２０に接続する時は、図３（ａ）に示したように、防水キャップ３０の防水突起３４をプラグ挿入穴２５から引き抜き、ＡＣアダプターの出力プラグ２３の本体２３ｂを把持して出力プラグ２３をプラグ挿入穴２５に差し込めば良い。
【００３５】
図５（ａ）は、図１（ｃ）に示したＡＣアダプター用ソケット２０の第２実施例を示すものである。第１実施例では、ＡＣアダプター用ソケット２０に防水キャップ３０のみが設けられていたが、第２実施例では、ＡＣアダプター用ソケット２０に、防水キャップ３０に加えて第２防水キャップ６０が設けられている。第１実施例では、ＡＣアダプターの出力プラグ２３がＡＣアダプター用ソケット２０に接続された時に、ＡＣアダプターの出力プラグ２３とＡＣアダプター用ソケット２０との接続部が防水されていなかった。一方、第２実施例では、ＡＣアダプターの出力プラグ２３は、第２防水キャップ６０を用いてＡＣアダプター用ソケット２０に接続することにより、ＡＣアダプターの出力プラグ２３とＡＣアダプター用ソケット２０との接続部が防水される。
【００３６】
第２実施例における防水キャップ３０の構造は第１実施例と同じであるので、防水キャップ３０の構造についてはその説明を省略し、第２防水キャップ６０の構造のみを説明する。第２防水キャップ６０は、防水キャップ３０のリング状の基部３２の一部から延びるアーム部６１と、アーム部６１の先端部に設けられたプラグシール部６２と、プラグシール部６２の側面に接続する係止突起６３とを備える。プラグシール部６２の構造は、プラグシール部６２を矢印Ａ方向から見た図５（ｂ）と、図５（ｂ）のＢ−Ｂ線における断面を示す図５（ｃ）に示されている。
【００３７】
プラグシール部６２には、図３（ａ）に示したＡＣアダプターの出力プラグ２３を挿通するプラグ挿通孔６４と、プラグ挿通孔６４に隣接してＡＣアダプターの出力プラグ２３の本体２３ｂが挿入されるとこれをシールする本体シール穴６５、及び本体シール穴６５に隣接して出力プラグ２３の本体２３ｂを本体シール穴６５に導くガイドスロープ６７が設けられている。本体シール穴６５の内径は、出力プラグ２３の本体２３ｂの外径よりもわずかに小さい。また、筐体１１には、アーム部６１を折り曲げた時に、係止突起６３が対向する位置に、係止突起６３を嵌め込み可能な係止突起挿入穴６８が設けられている。
【００３８】
第２実施例では、ＡＣアダプターの出力プラグ２３を、ＡＣアダプター用ソケット２０のプラグ挿入穴２５に挿入する場合は、第２防水キャップ６０を用いて挿入する。まず、ＡＣアダプターの出力プラグ２３をプラグシール部６２のプラグ挿通孔６４に挿通し、そのまま挿入を続ける。すると、ＡＣアダプターの出力プラグ２３の本体２３ｂの端面が、ガイドスロープ６７に導かれてプラグシール部６２の本体シール穴６５に入り、やがて本体２３ｂの端面が本体シール穴６５の底面に達する。この状態では、本体２３ｂの端面と側面は、図５（ｄ）に示すように、シール部６６によってシールされる。
【００３９】
係止突起６３は、プラグシール部６２のプラグ挿通孔６４に出力プラグ２３を挿通し、出力プラグ２３の本体２３ｂを本体シール穴６５に密着させた状態で、アーム部６１を折り曲げて出力プラグ２３をプラグ挿入穴２５に挿入していくと、筐体１１に設けられた係止突起挿入穴６８の直上に達する。そこで、出力プラグ２３のプラグ挿入穴２５への挿入を続けると共に、係止突起６３を係止突起挿入穴６８に押し込む。係止突起６３の外径は係止突起挿入穴６８の内径よりもわずかに大きく形成されているので、この状態で係止突起６３を係止突起挿入穴６８に押し込めば、係止突起６３が係止突起挿入穴６８に圧縮状態で嵌め込まれ、出力プラグ２３はプラグシール部６２で防水された状態でプラグ挿入穴２５に接続される。
【００４０】
図５（ｅ）は、以上のような操作で図５（ａ）に示したＡＣアダプター用ソケット２０に、第２防水キャップ６０を用いてＡＣアダプターの出力プラグ２３が取り付けられた状態を示すものである。ＡＣアダプターの出力プラグ２３は、プラグシール部６２のプラグ挿通孔６４に挿通された状態で、ＡＣアダプター用ソケット２０のプラグ挿入穴２５に挿入される。この時、第２防水キャップ６０の係止突起６３を、筐体１１に設けられた係止突起挿入穴６８に嵌め込むことで、プラグシール部６２がＡＣアダプター用ソケット２０から外れず、プラグシール部６２が円板状負電極２４に密着して防水する。
【００４１】
このように、第２防水キャップ６０を使用してＡＣアダプターの出力プラグ２３をＡＣアダプター用ソケット２０に接続することにより、ＡＣアダプターの出力プラグ２３とＡＣアダプター用ソケット２０との接続部を防水することができる。よって、第２防水キャップ６０を備える電気さく用電源装置１０は、電源の延長コードを使用し、ＡＣアダプターの差し込みプラグ部分を防水しておけば、屋外でもバッテリーを充電することが可能である。
【００４２】
図６（ａ）はソーラーパネル５２が筐体５１の上部にブラケット５４を用いて取り付けられた形態のソーラーパネル一体型の電気さく用電源装置５０の一実施例を、一方の側面側から見たものである。この実施例の電源装置５０は、直方体形状の筐体５１と、筐体５１の上面にブラケット５４を介して一体的に設けられたソーラーパネル５２を有する形態である。筐体５１の内部には、バッテリー、昇圧回路及びレギュレーターが内蔵されている。筐体５１の１つの側面にはモード切替スイッチ５３が設けられており、上面には把手５５が設けられている。
【００４３】
図６（ｂ）は、図６（ａ）に示した電気さく用電源装置５０の筐体５１を背面側から見たものである。筐体５１の背面側には、出力端子５６とアース端子５７が設けられていると共に、ＡＣアダプター８の出力プラグ２３が接続されるソケット５９が、凹部５８の中に設けられている。図６（ｃ）は、図６（ｂ）に示したＡＣアダプター用ソケット５９の取付位置を部分的に拡大して示す斜視図である。筐体の背面に開口する凹部５８は、上底５８Ｕ、下底５８B及び３つの側面５８Ａを備えており、上底５８Ｕにソケット５９が設けられている。また、凹部５８の開口５８Ｄの上側の部分は、筐体５１の表面と面一なカバー５８Ｃで覆われて雨水がソケット５９に届かないようになっている。この形態の電源装置５０にはソケット５９に防水キャップ及び第２防水キャップは不要であり、電源の延長コードを使用し、ＡＣアダプターの差し込みプラグ部分を防水しておけば、屋外でもバッテリーを充電することが可能である。
【００４４】
以上、本発明に係るソーラーパネル一体型の電気柵用電源装置を、それぞれ実施例に基づいて説明したが、ＡＣアダプターの出力プラグ２３とＡＣアダプター用ソケット２０との接続部と防水は、上記実施例に限定されるものではない。すなわち、ＡＣアダプターの出力がワイヤーの場合は、接続部はソケットでなくワイヤ―の接続端子でも良く、ソケットと接続端子が両方あっても良い。また、ソーラーパネル一体型の電気柵さくの電源装置をＡＣアダプターを用いて屋内で充電する場合は、雨水がかかるおそれがないので、第２防水キャップ６０は使用しなくても良い。
【００４５】
本発明の最大の効果は、ソーラーパネル一体型の電気さく用電源装置におけるバッテリーの電圧低下時に、バッテリーの充電を、バッテリーを電気さく用電源装置の筐体から取り出さずに行うことができる点である。よって、電気さく用電源装置の販売店では、棚や倉庫に保管してある電気さく用電源装置のバッテリーを、手間をかけずに容易に充電することができるため、店頭で充電後に販売すれば、販売直後にバッテリーの充電不足により電気さくが動作しないという苦情を回避できる。
【符号の説明】
【００４６】
１    柵
２    ワイヤー
３    支柱
４    アース棒
５    ポスト
６    電源用リード線
６ａ、７ａ  ワニ口クリップ
７    アース線
１０、５０  電気さく用電源装置
１１、５０  筐体
１１ａ  前面
１１ｂ  背面
１２、５２  ソーラーパネル
１３、５３  モード切替スイッチ
１４  バッテリーカバー
１５  ポスト取付部
１６、５６  出力端子
１７、５７  アース端子
１８  バッテリー
２０、５９  ＡＣアダプター用ソケット
２１  レギュレーター
２２  昇圧回路
２３  出力プラグ
２３ｂ  出力プラグ本体
２５  プラグ挿入穴
３０  防水キャップ
３４  防水突起
４０  電気さく
６０  第２防水キャップ
６２  プラグシール部
６３  係止突起
６８  係止突起挿入穴
【要約】      （修正有）【課題】いつでもどこでも簡単に電気さく用電源装置を満充電でスタンバイ状態にし、いつでも利用開始が可能な、ソーラーパネル一体型の電気さく用電源装置を提供する。【解決手段】電気さく用電源装置１０の筐体１１に一体的に設けられたソーラーパネル１２を備え、筐体１１の内部に、充電可能なバッテリー、バッテリー電圧から高電圧パルスを生成して筐体外部に設けられた出力端子から出力する昇圧回路、及びソーラーパネルに接続されて入力電圧を制御してバッテリーを適切に充電するレギュレーターを備えるソーラーパネル一体型の電気さく用電源装置において、筐体の一部にＡＣアダプターの出力プラグの接続部であるＡＣアダプター用ソケット２０を設け、このソケットを筐体内部でレギュレーターを介してバッテリーに接続することにより、低コストでかつ容易な追加充電を可能にして利便性を向上させた電気さく用電源装置である。【選択図】図１【図１】
0006865487.tif 000002
【図２】
0006865487.tif 000003
【図３】
0006865487.tif 000004
【図４】
0006865487.tif 000005
【図５】
0006865487.tif 000006
【図６】
0006865487.tif 000007